(57)【要約】【課題】簡単にガラス板と樹脂枠部との境界をきれいに塗装する。【解決手段】ガラス板４の表面に可溶性インク１３を塗布し、この可溶性インク１３を塗布したガラス板４を成形型に載置し、溶融樹脂を流し込んで樹脂枠部１１を形成するようにインサート成形し、このインサート成形された正面側キャビネット３を可溶性インク１３が塗布されたガラス板４を含めて塗装し、塗装後、可溶性インク１３を溶かす。【選択図】図１
2014162153.tif 000002
【特許請求の範囲】
【請求項１】
ガラス板がインサート成形されたキャビネットを製造する方法において、
ガラス板の表面に可溶性インクを塗布するガラス板塗装工程と、
上記可溶性インクを塗布したガラス板を成形型に載置し、溶融樹脂を流し込んで樹脂枠部を形成するようにインサート成形するインサート成形工程と、
上記インサート成形されたキャビネットを上記可溶性インクが塗布されたガラス板を含めて塗装する全体塗装工程と、
上記塗装後のキャビネットの上記可溶性インクを溶かす剥離工程とを含む
ことを特徴とするキャビネットの製造方法。
【請求項２】
請求項１に記載のキャビネットの製造方法において、
上記ガラス板塗装工程の前に、上記ガラス板の外周縁に面取りを施す面取り工程を含み、
上記ガラス板塗装工程において、上記面取り部分も塗装を施し、
上記インサート成形工程において上記面取り部分も上記樹脂枠部で覆う
ことを特徴とするキャビネットの製造方法。
【発明の詳細な説明】
【技術分野】
【０００１】
本発明は、ガラス板がインサート成形されたキャビネットを製造するキャビネットの製造方法に関するものである。
【背景技術】
【０００２】
従来より、ガラス板の周縁部に樹脂枠を一体成形するキャビネットの製造方法は知られている（例えば、特許文献１参照）。
【先行技術文献】
【特許文献】
【０００３】
【特許文献１】特開２０１０−１２６０１号公報
【発明の概要】
【発明が解決しようとする課題】
【０００４】
しかしながら、従来のキャビネットの製造方法では、インサート成形後は、ガラス面をインクで汚すことを避けるために、例えばガラス面に養生テープを貼った状態で塗装を行わなければならない。すると、養生テープを剥がしたときに塗装面の境界が乱れてきれいに仕上げるのが難しかった。
【０００５】
そのため、加飾をしたい場合には、例えば金型内にデザインを施したフィルムを挟み込んで射出成形するインモールド成形を行わなければならず、コスト面及び設計上の制約の面で問題がある。
【０００６】
本発明は、かかる点に鑑みてなされたものであり、その目的とするところは、インモールド成形を行うことなく、簡単にガラスと樹脂部分との境界をきれいに塗装することにある。
【課題を解決するための手段】
【０００７】
上記の目的を達成するために、この発明では、ガラス板の表面にあらかじめ可溶性インクによる塗装を施すようにした。
【０００８】
具体的には、第１の発明では、ガラス板がインサート成形されたキャビネットを製造する方法において、
ガラス板の表面に可溶性インクを塗布するガラス板塗装工程と、
上記可溶性インクを塗布したガラス板を成形型に載置し、溶融樹脂を流し込んで樹脂枠部を形成するようにインサート成形するインサート成形工程と、
上記インサート成形されたキャビネットを上記可溶性インクが塗布されたガラス板を含めて塗装する全体塗装工程と、
上記塗装後のキャビネットの上記可溶性インクを溶かす剥離工程とを含む。
【０００９】
上記の構成によると、全体塗装工程においてガラス板の表面を含めて塗装を行っても、剥離工程において溶剤、光、熱等を加えることで、可溶性インクと共に塗装面がはがれるので、養生を行う必要がなく、はっきりした境界の仕上がりが得られる。
【発明の効果】
【００１０】
以上説明したように、本発明によれば、あらかじめ可溶性インクを塗布したガラス板をインサート成形し、全体塗装をした後で、可溶性インクを剥離させるようにしたことにより、簡単にガラス板と樹脂枠部との境界をきれいに塗装することができる。
【図面の簡単な説明】
【００１１】
【図１】本発明の実施形態にかかるキャビネットの製造方法で製造した正面側キャビネットを示す断面図である。
【図２】実施形態の変形例にかかるガラス板塗装工程後のガラス板を示す断面図である。
【発明を実施するための形態】
【００１２】
以下、本発明の実施形態を図面に基づいて説明する。
【００１３】
図１は、本発明の実施形態にかかる携帯電話機１の正面側キャビネット３の断面を示す。この正面側キャビネット３は、例えば、携帯電話機１の正面側を構成し、タッチパネル等を有する表示部２が内蔵されている。そして、正面側キャビネット３の背面側が図示しない背面側キャビネットやリアカバーで覆われている。
【００１４】
正面側キャビネット３は、矩形薄板状のガラス板４がインサート成形されており、ガラス板４の表面と、その外周縁を覆う樹脂製の樹脂枠部１１の表面とがほぼ同じ高さとなって見映えがよくなっている。ガラス板４の背面側には、表示部２を構成する表示ユニット５が両面テープなどにより貼り付けられている。表示ユニット５の表示範囲Ａは、ガラス板４の背面側に印刷された黒色印刷１２の内側に配置されている。樹脂枠部１１の表面は、樹脂本体の色彩とは異なる、可溶性ではない通常のインクによる塗装（塗膜Ｃの範囲を矢印で示す）が施されている。なお、図面では塗膜Ｃの厚さを誇張して描いているが、実際にはさらに薄いものとなっている。
【００１５】
ガラス板４のほぼ全周の外周縁には、角を約４５度切り落とすように面取り１０ａが施されている。なお、本実施形態では、面取り１０ａよりも表面側にも樹脂枠部１１の食い付きをよくするために段付き加工が行われているが、この加工は必ずしも必要ではない。
【００１６】
次いで、本実施形態の正面側キャビネット３の製造方法について説明する。
【００１７】
まず、面取り工程において、機械加工等により所定の大きさに切り分けられたガラス板４の外周のほぼ全周に面取り１０ａを施す。
【００１８】
次いで、ガラス板塗装工程において、露出する側（正面側）のガラス板４の表面に可溶性インク１３を塗布する。図１に２点鎖線で示す塗装範囲Ｂは、面取り１０ａよりも内側とする。可溶性インク１３は、例えば、溶剤、光、熱等通常の塗膜Ｃに影響を与えない手段で溶けるものであれば特に限定されない。
【００１９】
次いで、インサート成形工程において、可溶性インク１３を塗布したガラス板４を図示しない成形型に載置し、溶融樹脂を流し込んでインサート成形する。これにより、ガラス板４の周囲に樹脂枠部１１が形成される。
【００２０】
次いで、全体塗装工程において、インサート成形された正面側キャビネット３を可溶性インク１３が塗布されたガラス板４を含めて塗装する。このとき、従来であれば、表示部２の表示範囲Ａを含むガラス板４の表面を汚さないようにするために、養生テープを貼るなどの処理が必要であったが、本実施形態では、そのような作業は必要ではない。
【００２１】
最後に剥離工程において、塗装後の正面側キャビネット３を例えば所定の溶剤に浸す。すると、可溶性インク１３がその表面に塗布された通常の塗料と共に溶けて剥がれ、樹脂枠部１１の塗膜Ｃはそのまま残る。
【００２２】
このように、全体塗装工程においてガラス板４の表面を含めて塗装を行っても、剥離工程において可溶性インク１３と共に塗装面がはがれるので、養生を行う必要がなく、はっきりした境界の仕上がりが得られる。
【００２３】
したがって、本実施形態にかかるキャビネットの製造方法によると、あらかじめ可溶性インク１３を塗布したガラス板４をインサート成形し、全体塗装をした後で、可溶性インク１３を剥離させるようにしたことにより、簡単にガラス板４と樹脂枠部１１との境界をきれいに塗装することができる。
【００２４】
−変形例−
図２は本発明の実施形態の変形例を示し、図１と同じ部分については同じ符号を付してその詳細な説明は省略する。
【００２５】
本変形例では、ガラス板塗装工程において、面取り１０ａの部分も可溶性インク１３を塗布する（塗布範囲をＢ’で示す）。
【００２６】
そして、インサート成形工程において、面取り１０ａの部分も樹脂枠部１１で覆う。
【００２７】
剥離工程において、塗装後の正面側キャビネット３に溶剤をかけ、可溶性インク１３を溶かし、その表面に塗布された塗料と共に剥がす。なお、樹脂枠部１１で覆われた可溶性インク１３は、溶剤に触れないので溶けない。
【００２８】
このように構成すれば、可溶性インク１３を塗装した面取り１０ａも全体塗装工程において塗装しているので、剥離工程において、樹脂枠部１１のぎりぎりのところまで剥離が行われ、境界がさらにきれいに仕上がる。
【００２９】
（その他の実施形態）
本発明は、上記実施形態について、以下のような構成としてもよい。
【００３０】
すなわち、上記実施形態では、携帯電話機１は、ストレートタイプとしているが、スライド式でも折畳み式の携帯端末でもよい。要はガラス板４の設けられるキャビネットに対して本発明を適用できる。
【００３１】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３２】
なお、以上の実施形態は、本質的に好ましい例示であって、本発明、その適用物や用途の範囲を制限することを意図するものではない。
【符号の説明】
【００３３】
１      携帯電話機（携帯端末）
２      表示部
３      正面側キャビネット（キャビネット）
４      ガラス板
５      表示ユニット
１１      樹脂枠部
１２      黒色印刷
１３      可溶性インク
Ａ      表示範囲
Ｂ，Ｂ’    可溶性インクの塗布範囲
Ｃ      通常インクの塗膜
【図１】
2014162153.tif 000003
【図２】
2014162153.tif 000004